(57)【要約】【課題】本発明は、ストロボ発光部及びストロボ用コンデンサを具備したデジタルカメラにおいて、小型化を妨げることなくストロボ用コンデンサを固定することのできる構成を提供する。【解決手段】本発明のデジタルカメラは、ストロボ発光部に用いられる電荷を保持する柱状のストロボ用コンデンサと、一方の面上にストロボ用コンデンサが立設するように半田付けされ、他方の面上に電気基板とストロボ用コンデンサとを電気的に接続するリード線が半田付けされた中継基板と、電気絶縁性の材料からなり、前記他方の面側において中継基板を保持し、前側筐体に形成された第１係合部に後側から係合する第２係合部を有する保持部材と、を具備し、第１係合部に第２係合部を係合した状態において前側筐体と後側筐体を組み合わせることにより、ストロボ用コンデンサの位置決めを行うことを特徴とする。【選択図】図４
2010191381.tif 000002
【特許請求の範囲】
【請求項１】
前側筐体及び後側筐体に分割可能な筐体と、
前記前側筐体の後側に設けられた第１係合部と、
前記前側筐体の正面に露出するストロボ発光部と、
前記ストロボ発光部の後側に配設され、前記ストロボ発光部の発光を制御する発光制御回路を有する電気基板と、
前記電気基板の後側に配設され、前記ストロボ発光部に用いられる電荷を保持する柱状のストロボ用コンデンサと、
一方の面上に前記ストロボ用コンデンサが立設するように半田付けされ、他方の面上に前記電気基板と前記ストロボ用コンデンサとを電気的に接続するリード線が半田付けされた中継基板と、
電気絶縁性の材料からなり、前記他方の面側において前記中継基板を保持し、前記第１係合部に後側から係合する第２係合部を有する保持部材と、
を具備し、
前記第１係合部に前記第２係合部を係合することにより、前記ストロボ用コンデンサの前記筐体に対する左右方向及び上下方向の位置決めがなされ、
かつ、前記前側筐体及び前記後側筐体を組み合わせることにより、前記ストロボ用コンデンサが前記電気基板及び前記後側筐体により挟持され、前記ストロボ用コンデンサの前記前側筐体に対する前後方向の位置決めがなされることを特徴とするデジタルカメラ。
【請求項２】
前記第１係合部は、前記前側筐体の外周縁部近傍の背面に形成された凹部であって、
前記第２係合部は、前記凹部に嵌合する形状を有し前側に突出する凸部であることを特徴とする請求項１に記載のデジタルカメラ。
【請求項３】
前記後側筐体の前記ストロボ用コンデンサを挟持する部位は、後側筐体に画像表示装置を固定するための保持板であることを特徴とする請求項１又は２に記載のデジタルカメラ。
【請求項４】
前記リード線は、前記中継基板の前記他方の面上に形成されたランド上に半田付けされるものであって、
前記保持部材は、前記リード線と前記中継基板との半田付け部を覆う被覆部を有することを特徴とする請求項１から３のいずれか一項に記載のデジタルカメラ。
【請求項５】
前記リード線は、前記電気基板の後側の面上に形成されたランド上に半田付されるものであって、
前記保持部材は、前記リード線と前記電気基板との半田付け部を覆う庇部を有することを特徴とする請求項１から４のいずれか一項に記載のデジタルカメラ。
【発明の詳細な説明】
【技術分野】
【０００１】
本発明は、ストロボ発光部を具備したデジタルカメラに関する。
【背景技術】
【０００２】
撮像レンズ及び撮像素子を用いて光学像を電子的な画像データとして撮影し記録し得るように構成されたデジタルカメラが知られている。デジタルカメラの筐体の外形寸法を決定する主な構成要素は、撮像ユニット、画像表示装置、電源電池、記録媒体、電気基板、操作部材、及びストロボ装置である。ここで、撮像ユニットは、撮像レンズを保持するレンズ鏡筒及び撮像素子を具備して構成されている。
【０００３】
特に、ストロボ装置は、ストロボ用コンデンサの形状の自由度が低く、また高い電圧に備えた配線及び回路が必要であることから小型化が困難であり、デジタルカメラの小型化の妨げとなりやすい。
【０００４】
そこで、例えば特開２００８−２１６５３４号公報には、ストロボ装置を、電源電池の端子部と一体に構成することにより部品点数を削減し、デジタルカメラの小型化を図ることのできる技術が開示されている。
【先行技術文献】
【特許文献】
【０００５】
【特許文献１】特開２００８−２１６５３４号公報
【発明の概要】
【発明が解決しようとする課題】
【０００６】
特開２００８−２１６５３４号公報に開示の技術では、ストロボ用コンデンサをケース内に収めることで、デジタルカメラ内にストロボ用コンデンサを固定しているため、このケースの厚さによってデジタルカメラの小型化が妨げられてしまう。
【０００７】
本発明は、上述した点に鑑みてなされたものであって、ストロボ発光部及びストロボ用コンデンサを具備したデジタルカメラにおいて、小型化を妨げることなくストロボ用コンデンサを固定することのできる構成を提供することを目的とする。
【課題を解決するための手段】
【０００８】
本発明のデジタルカメラは、前側筐体及び後側筐体に分割可能な筐体と、前記前側筐体の後側に設けられた第１係合部と、前記前側筐体の正面に露出するストロボ発光部と、前記ストロボ発光部の後側に配設され、前記ストロボ発光部の発光を制御する発光制御回路を有する電気基板と、前記電気基板の後側に配設され、前記ストロボ発光部に用いられる電荷を保持する柱状のストロボ用コンデンサと、一方の面上に前記ストロボ用コンデンサが立設するように半田付けされ、他方の面上に前記電気基板と前記ストロボ用コンデンサとを電気的に接続するリード線が半田付けされた中継基板と、電気絶縁性の材料からなり、前記他方の面側において前記中継基板を保持し、前記第１係合部に後側から係合する第２係合部を有する保持部材と、を具備し、前記第１係合部に前記第２係合部を係合することにより、前記ストロボ用コンデンサの前記筐体に対する左右方向及び上下方向の位置決めがなされ、かつ、前記前側筐体及び前記後側筐体を組み合わせることにより、前記ストロボ用コンデンサが前記電気基板及び前記後側筐体により挟持され、前記ストロボ用コンデンサの前記前側筐体に対する前後方向の位置決めがなされることを特徴とする。
【発明の効果】
【０００９】
本発明によれば、ストロボ発光部及びストロボ用コンデンサを具備したデジタルカメラにおいて、小型化を妨げることなくストロボ用コンデンサを固定することのできる構成を提供することができる。
【図面の簡単な説明】
【００１０】
【図１】デジタルカメラの正面側を示す斜視図である。
【図２】デジタルカメラの背面図である。
【図３】図２のIII-III断面図である。
【図４】デジタルカメラの分解斜視図である。
【図５】デジタルカメラの筐体内における、制御ユニットとコンデンサユニットとの電気的な接続を示すための図である。
【図６】コンデンサユニットの分解斜視図である。
【図７】コンデンサユニットを組み立てた状態を示す斜視図である。
【図８】保持部材と半田付け部との位置関係を説明する図である。
【図９】保持部材と前側筐体との係合の様子を説明する図である。
【図１０】保持部材が前側筐体に係合した状態を示す図である。
【発明を実施するための形態】
【００１１】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１２】
図１は、デジタルカメラの正面側を示す斜視図である。図２は、デジタルカメラの背面図である。図３は、図２のIII-III断面図である。図４は、デジタルカメラの分解斜視図である。図５は、デジタルカメラの筐体内における、制御ユニットとコンデンサユニットとの電気的な接続を示すための図である。図６は、コンデンサユニットの分解斜視図である。図７は、コンデンサユニットを組み立てた状態を示す斜視図である。図８は、保持部材と半田付け部との位置関係を説明する図である。図９は、保持部材と前側筐体との係合の様子を説明する図である。図１０は、保持部材が前側筐体に係合した状態を示す図である。
【００１３】
図１に示すように、本実施形態のデジタルカメラ１は、略直方体形状の箱型状の筐体を有する。ここで、本実施形態では、デジタルカメラ１の撮像時に被写体に対向する面をデジタルカメラ１の正面というものとする。また、デジタルカメラ１の使用時に使用者が対面する面、すなわち正面とは反対側の面をデジタルカメラ１の背面というものとする。
【００１４】
また、デジタルカメラ１を、いわゆる正立位置に構えた状態（通常の撮影状態であり、いわゆる横位置状態）において、上方の面をデジタルカメラ１の上面というものとする。また、そして、デジタルカメラ１の上面に対向する面を底面というものとする。
【００１５】
まず、デジタルカメラ１の概略構成を以下に説明する。  
図１に示すように、デジタルカメラ１の筐体は、前側筐体１０及び後側筐体２０により構成されている。詳しくは後述するが、デジタルカメラ１の各機能を実現するための構成部材は、この筐体内の所定の位置に保持されている。
【００１６】
前側筐体１０は、デジタルカメラ１の正面を主に覆い、さらに左側面、右側面、上面及び底面の一部を覆う形状を有する。また、後側筐体２０は、デジタルカメラ１の背面を主に覆い、さらに左側面、右側面、上面及び底面の一部を覆う形状を有する。
【００１７】
言い換えれば、前側筐体１０及び後側筐体２０は、それぞれ後側（背面側）及び前側（正面側）が開口した略箱形状を有する。そして、前側筐体１０及び後側筐体２０を、開口が対向した状態で組み合わせることにより、デジタルカメラ１の筐体が構成されている。
【００１８】
本実施形態では、一例として前側筐体１０及び後側筐体２０は、デジタルカメラ１の外観を構成する外装部材としての機能を有するものとする。もちろん、デジタルカメラ１が、前側筐体１０及び後側筐体２０の外側の少なくとも一部を覆うような他の外装部材を具備して構成されてもよいことは言うまでもない。
【００１９】
デジタルカメラ１の正面には、撮像レンズを収容したレンズ鏡筒３１及びストロボ発光部４１が配設されている。レンズ鏡筒３１は、光軸Ｏがデジタルカメラ１の正面に対して略直交するように撮像レンズを保持している。
【００２０】
本実施形態では、一例としてレンズ鏡筒３１は、光軸Ｏに沿う方向に伸縮可能であり、デジタルカメラ１の非撮像動作時にはデジタルカメラ１の本体内に収容される、いわゆる沈胴式のレンズ鏡筒である。
【００２１】
レンズ鏡筒３１は、光軸Ｏがデジタルカメラ１の正面の中心部よりも右側に偏るように配置されている。これは、本実施形態のデジタルカメラ１が、人の右手により本体左側が把持されることを想定していることによるものである。言い換えれば、レンズ鏡筒３１は、デジタルカメラ１の正面において、把持部とは反対側に配置されている。また、レンズ鏡筒３１は、詳しくは後述する撮像ユニット３０（図１には不図示）を構成する部材である。
【００２２】
ストロボ発光部４１は、被写体を照明するための閃光を発するものである。ストロボ発光部４１の構成は公知のものであるためその詳細な説明は省略するものとするが、概略的には、発光を行うキセノン管を具備して構成されている。また、ストロボ発光部４１には、キセノン管から出射される光がデジタルカメラ１の前方の所定の角度範囲に所定の強度分布で照射されるように、反射板やレンズ等が適宜に配設される。
【００２３】
ストロボ発光部４１は、デジタルカメラ１の正面の中心部よりも左側であり、かつ上側に配置されている。言い換えれば、ストロボ発光部４１は、デジタルカメラ１の正面において、把持部の略上側に配置されている。ストロボ発光部４１は、詳しくは後述する制御ユニット４０（図１には不図示）を構成する部材である。
【００２４】
また、デジタルカメラ１の上面には、電源スイッチ２、シャッターレリーズスイッチ３及びズームスイッチ４が配設されている。電源スイッチ２、シャッターレリーズスイッチ３及びズームスイッチ４は、デジタルカメラ１を把持した際に指が届きやすいように上面の左側（把持部側）に偏って配置されている。
【００２５】
図２に示すように、デジタルカメラ１の背面には、画像表示装置６０及び操作部材５１が配設されている。
【００２６】
画像表示装置６０は、略矩形状の表示面を有するいわゆるフラットパネルディスプレイであり、例えばカラー表示可能な液晶表示装置又は有機エレクトロルミネッセンス表示装置等からなる。画像表示装置６０は、デジタルカメラ１の撮像動作時には、例えば絞り値やシャッタースピード等の撮影条件、いわゆる電子ファインダやライブビューと称される被写体のリアルタイムの動画像、及び撮像結果等を表示する。また、デジタルカメラ１の再生動作時には、画像表示装置６０は、例えばデジタルカメラ１の本体内の記録媒体に記録されている静止画像や動画像を表示する。
【００２７】
画像表示装置６０は、表示面がデジタルカメラ１の背面に沿うように配設されている。また、画像表示装置６０は、デジタルカメラ１の背面において右側に偏って配置されている。言い換えれば、画像表示装置６０は、デジタルカメラ１の背面において、把持部とは反対側に配置されているのであり、レンズ鏡筒３１の後側に配置されている。
【００２８】
操作部材５１は、使用者がデジタルカメラ１への動作指示を入力するための部材であり、プッシュスイッチ、ダイヤルスイッチ、ボリュームスイッチ、レバースイッチ、感圧スイッチ及びタッチセンサ等により構成される。本実施形態では一例として、操作部材５１は、ダイヤルスイッチ５２及び複数のプッシュスイッチ５３を具備して構成されている。
【００２９】
操作部材５１は、デジタルカメラ１の背面において、画像表示装置６０とは重ならない位置に、上下方向に延在するように配設されている。すなわち、操作部材５１は、デジタルカメラ１の背面において左側（操作部側）に偏って配置されている。操作部材５１は、詳しくは後述する操作ユニット５０（図２には不図示）を構成する部材である。
【００３０】
デジタルカメラ１の底面には、蓋部材５が配設されている。蓋部材５は、図示しないヒンジ部及びロック機構により開閉自在に構成されている。蓋部材５は、デジタルカメラ１の内部に設けられた収容室７の開口部を開閉するために配設されている。収容室７は、電源電池及び記録媒体をデジタルカメラ１の筐体内に収容するための空間部である。蓋部材５は、ロック機構を操作することにより、図２の２点鎖線で示すように開放状態とすることができる。
【００３１】
次に、デジタルカメラ１の内部の構成を以下に説明する。  
図３の断面図及び図４の分解斜視図に示すように、デジタルカメラ１の筐体の内部には、撮像ユニット３０、制御ユニット４０、操作ユニット５０、画像表示装置６０及びコンデンサユニット７０が配設されている。
【００３２】
撮像ユニット３０は、上述した撮像レンズ３２及び撮像レンズ３２を保持するレンズ鏡筒３１の他に、レンズ鏡筒３１のズーム動作、合焦動作、沈胴動作等を駆動するための駆動機構部、及び撮像素子３３を具備して構成されている。
【００３３】
撮像ユニット３０の駆動機構部は、１つ又は複数の電動モータを具備してなり、減速機構やカム機構等によりレンズ鏡筒３１の繰り出し動作や撮像レンズ３２の少なくとも一部の移動を可能とする。例えば本実施形態では、駆動機構部はレンズ鏡筒３１のズーム動作の動力となるズーム用モータ３４を具備してなる。ズーム用モータ３４は、撮像ユニット３０の右側、すなわちレンズ鏡筒３１の右側方に配置されている。
【００３４】
また、撮像素子３４は、例えばＣＣＤ（Ｃｈａｒｇｅ  Ｃｏｕｐｌｅｄ  Ｄｅｖｉｃｅ；電荷結合素子）センサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ；相補型金属酸化膜半導体）センサ等と称される、光電変換素子を具備して構成されている。
【００３５】
なお、図示しないが、撮像ユニット３０には、絞り機構、シャッタ機構、ＮＤフィルタやローパスフィルタ等の光学フィルタ等が適宜に配設される。また、撮像ユニット３０は、像ブレ補正を行うために撮像素子３４をシフト移動させる像ブレ補正機構等を具備するものであってもよい。
【００３６】
撮像ユニット３０は、レンズ鏡筒３１が前側筐体１０に設けられた貫通孔１０ａから前側に突出可能なように、前側筐体１０の右側に位置決めされた状態で固定される。
【００３７】
制御ユニット４０は、デジタルカメラ１の筐体内において、撮像ユニット３０の左側に配設されている。また、制御ユニット４０は、前後方向に薄い扁平な形状を有し、デジタルカメラ１の筐体内の前側に偏って配設されている。
【００３８】
制御ユニット４０は、上述したストロボ発光部４１、電池保持部４２、記録媒体保持部４３及び電気基板４４を具備して構成されている。ストロボ発光部４１は、制御ユニット４０の前側の最も上側に配設されている。
【００３９】
ストロボ発光部４１の下側には、電池保持部４２が配設されている。電池保持部４２は、デジタルカメラ１の底面に設けられた収容室７の開口部から挿入される電源電池を、収容室７内において所定の位置に保持するように構成されている。
【００４０】
ストロボ発光部４１及び電池保持部４２の後側には、電気基板４４が配設されている。電気基板４４は、デジタルカメラ１の動作の制御を実行するための電気回路が形成された両面実装の基板である。電気基板４４は、例えば、デジタルカメラ１全体を制御するメインコントロール回路、撮像素子３３からの映像信号を処理する画像処理回路、ストロボ発光部４１の発光を制御する発光制御回路、画像表示装置６０の表示を制御する表示制御回路、入出力回路、時計回路、電源回路等を具備して構成されている。
【００４１】
電気基板４４の前側の面の下側には、記録媒体収容部４３が配設されている。記録媒体収容部４３は、記録媒体を収容室７内において所定の位置に保持するとともに、電気基板４４と記録媒体とを電気的に接続するように構成されている。記録媒体収容部４３は、記録媒体を挿入するための開口が、収容室７内において下側を向くように、電気基板４４の前側の面に実装されている。
【００４２】
以上に説明した制御ユニット４０では、デジタルカメラ１の前側から後側に向かって順番に、電池保持部４２、記録媒体保持部４３、電気基板４４が配置されており、電池保持部４２の上側に、ストロボ発光部４１が配置されている。制御ユニット４０は、図４に示すように組み立てられた状態で、ストロボ発光部４１が前側筐体１０に設けられた貫通孔１０ｂから前側に露出するように、前側筐体１０の左側に固定される。
【００４３】
画像表示装置６０は、後側筐体２０と後側筐体２０の前側に固定される保持板２１との間に挟持されることにより固定されている。保持板２１は、金属等の導電性を有する材料により構成されており、電源電池の接地電位に電気的に接続されている。
【００４４】
本実施形態では、画像表示装置６０は、デジタルカメラ１の背面に露出するように撮像ユニット３０の後側に配設される。図３に示すように、画像表示装置６０は、撮像ユニット３０よりも左右方向に大きく、デジタルカメラ１を正面から見た場合に、撮像ユニット３０よりも左側に一部が張り出す張り出し部６０ａを有するように配置されている。
【００４５】
コンデンサユニット７０は、ストロボ発光部４１の発光に用いる電荷を保持するためのストロボ用コンデンサ７１を具備して構成されている。ストロボ用コンデンサ７１は、デジタルカメラ１の筐体内において上下方向に延在する略柱状の形状を有する。本実施形態では、コンデンサユニット７０は、２つのストロボ用コンデンサ７１が、デジタルカメラ１の左右方向に配列されて構成されている。
【００４６】
コンデンサユニット７０は、図３に示すように、撮像装置３０の左側に配設された制御ユニット４０と、画像表示装置６０の撮像ユニット３０よりも左側に張り出した張り出し部６０ａと、の間の領域に配設されている。
【００４７】
詳しくは後述するが、コンデンサユニット７０は、保持部材９０に設けられた第２係合部９１が、前側筐体１０の外周縁部近傍の背面側に形成された第１係合部１１に係合することにより、筐体内の上述した所定の位置に位置決めされる。
【００４８】
後側筐体２０は、前側筐体１０に後側筐体２０を組み付けると、後側筐体２０の前側に固定されている保持板２１がストロボ用コンデンサ７１に当接してストロボ用コンデンサ７１を前側に付勢するように構成されている。ストロボ用コンデンサ７１の周囲には、ストロボ用コンデンサ７１と制御ユニット４０との隙間を埋めるための弾性を有する部材であるモルトプレン７２（スポンジ状部材）が貼着されており、これにより、ストロボ用コンデンサ７１を有するコンデンサユニット７０は、遊びのない状態で筐体内に固定される。
【００４９】
操作ユニット５０は、上述した操作部材５１と、操作部材５１を支持する基板とを具備してなる。操作ユニット５０は、図３に示すように、制御ユニット４０の後側であって、かつデジタルカメラ１を正面から見た場合に、画像表示装置６０及びコンデンサユニット７０に重ならない領域に配設されている。すなわち、操作ユニット５０は、画像表示装置６０及びコンデンサユニット７０の左側に配置される。操作ユニット５０は、後側筐体２０に固定される。
【００５０】
次に、本実施形態のデジタルカメラ１における、ストロボ発光部４１と、電気基板４４の発光制御回路と、ストロボ用コンデンサ７１とを電気的に接続するための構成の詳細を説明する。
【００５１】
なお、図５では、説明のため、コンデンサユニット７０から保持部材９０を取り外した状態を示している。また、図６は、ストロボ用コンデンサ７１と中継基板８０との半田付けを分離した状態を示している。
【００５２】
概略的には、コンデンサユニット７０を構成する一対のストロボ用コンデンサ７１は、中継基板８０、第１リード線１０１及び第２リード線１０２を介して、電気基板４４（発光制御回路）に電気的に並列に接続されている。また、ストロボ発光部４１は、第３リード線１０３及び第４リード線１０４を介して、電気基板４４（発光制御回路）に電気的に接続されている。
【００５３】
本実施形態では、コンデンサユニット７０を構成する一対のストロボ用コンデンサ７１は、図６に示すように、いわゆるラジアル型のリード線７１ａを有する形式のものである。一対のストロボ用コンデンサ７１は、共に中継基板８０のスルーホール８１にリード線７１ａが挿入された状態で半田付けされ、中継基板８０の下側の面８０ａ（一方の面）に立設するように固定されている。
【００５４】
中継基板８０は、上側の面８０ｂ（他方の面）上のみに配線パターン８４が形成された基板である。配線パターン８４は、一対のストロボ用コンデンサ７１を電気的に並列に接続するように形成されている。
【００５５】
第１リード線１０１及び第２リード線１０２の一端を半田付けするためのランド８２及び８３が形成されている。また、ランド８２及び８３は、それぞれストロボ用コンデンサ７１の陽極及び陰極に配線パターン８４を介して電気的に接続されている。
【００５６】
すなわち、第１リード線１０１及び第２リード線１０２の一端は、中継基板８０の上側の面８０ｂ上に、いわゆる面半田により接続されている。そして、第１リード線１０１及び第２リード線１０２は、それぞれストロボ用コンデンサ７１の陽極及び陰極に電気的に接続されている。
【００５７】
一方、第１リード線１０１及び第２リード線１０２の他端は、電気基板４４の後側の面上に形成された半田付け部１００の図示しないランド上に半田付けにより接続されている。すなわち、第１リード線１０１及び第２リード線１０２の他端は、電気基板４４の後側の面上に、いわゆる面半田により接続されている。このように、多層基板である電気基板４４へのリード線の半田付けを、スルーホールを用いずに面半田により行うことにより、電気基板４４の配線パターンの自由度が向上するため、電気基板４４の小型化が容易となる。
【００５８】
第１リード線１０１及び第２リード線１０２の長さは、半田付け作業の容易さを向上させるために余裕を持って長く設定されており、したがって第１リード線１０１及び第２リード線１０２は、余剰部分を有する。この余剰部分は、図５に示すように、第１リード線１０１及び第２リード線１０２をストロボ用コンデンサ７１の側面に沿うように下側に延出させた後に上側に折り返すことによって、略円柱状であるストロボ用コンデンサ７１と略平板である電気基板４４との間の空間に収容される。
【００５９】
また、第１リード線１０１及び第２リード線１０２は、互いに沿うように配索されており、他端側の半田付け部１００近傍において、熱収縮チューブ等の結束部材１１０により束ねられている。このように、第１リード線１０１及び第２リード線１０２を結束部材１１０により束ねることにより、安全性を向上させることができる。
【００６０】
第３リード線１０３及び第４リード線１０４の一端は、電気基板４４の前側に配設されたストロボ発光部４１において、図示しないキセノン管に電気的に接続されている。第３リード線１０３及び第４リード線１０４は、電気基板４４の上側端部に設けられた切り欠き部４４ａを介して、電気基板４４の後側に回り込むように取り回されている。
【００６１】
そして、第３リード線１０３及び第４リード線１０４の他端は、電気基板４４の後側の面上に形成された半田付け部１００の図示しないランド上に半田付けにより接続されている。すなわち、第３リード線１０３及び第４リード線１０４の他端は、電気基板４４の後側の面上に、いわゆる面半田により接続されている。このように、多層基板である電気基板４４へのリード線の半田付けを、スルーホールを用いずに面半田により行うことにより、電気基板４４の配線パターンの自由度が向上するため、電気基板４４の小型化が容易となる。
【００６２】
以上に説明したように、本実施形態のデジタルカメラ１では、ストロボ用コンデンサ７１と、電気基板４４の発光制御回路と、ストロボ発光部４１とが、中継基板８０及び第１〜第４リード線１０１〜１０４により電気的に接続されている。
【００６３】
次に、本実施形態のデジタルカメラ１における、ストロボ用コンデンサ７１を、図３に示したように電気基板４４の直後、かつ画像表示装置６０の張り出し部６０ａの前側に位置決めして固定する構成の詳細について説明する。
【００６４】
上述したように、一対のストロボ用コンデンサ７１は、中継基板８０の一方の面上に半田付けにより固定されている。そして、この中継基板８０は、他方の面側に配設された保持部材９０により保持される。
【００６５】
保持部材９０は、合成樹脂等の電気絶縁性の材料により形成された部材である。保持部材９０は、保持部材９０と中継基板８０とを位置決めして固定するための固定部９３が設けられている。固定部９３の構成は特に限定されるものではないが、本実施形態では、固定部９３は、中継基板８０の前後端部を弾性的に挟持する爪部を有し、中継基板８０との間でいわゆるスナップフィットにより係合する構成を有する。
【００６６】
また、保持部材９０は、中継基板８０を保持した状態において、図７に示すように中継基板８０の上側の面８０ｂを覆う、略平板状の被覆部９２を有する。被覆部９２の左側には、左側及び下側へ延在する略平板状の庇部９４が形成されている。庇部９４は、図８に示すようにコンデンサユニット７０を電気基板４４の直後に配置した状態において、電気基板４４の後側の面と略平行となり、かつ半田付け部１００を覆うように形成されている。
【００６７】
また、被覆部９２の上側の面には、前側に突出する凸部を有する一対の第２係合部９１が形成されている。この保持部材９０に形成された一対の第２係合部９１は、図９及び図１０に示すように、前側筐体１０の後側の面に形成され前側（光軸方向前方）に凹んだ凹部である一対の第１係合部１１内に係合するように構成されている。なお、前側に凹んだ凹部、とはデジタルカメラ１の後側に向かって開口し、該開口よりも前側に底面部を有する凹部のことを称する。
【００６８】
第２係合部９１及び第１係合部１１は、所定の隙間を有して嵌合する形状を有しており、これにより、保持部材９０、すなわちコンデンサユニット７０の前側筐体１０に対する左右方向及び上下方向の位置が定められる。
【００６９】
また、第２係合部９１は、先端が第１係合部１１内の底部又は段差部に当て着く形状を有している。上述したように、前側筐体１０と後側筐体２０とを組み合わせた場合に、コンデンサユニット７０は、後側筐体２０の保持板２１により前側に付勢されることから、第２係合部９１の先端が第１係合部１１内の底部又は段差部に当て着くことにより、コンデンサユニット７０の前側筐体１０に対する前後方向の位置が定められる。
【００７０】
以上に説明したように、本実施形態のデジタルカメラ１は、一方の面に立設するように柱状のストロボ用コンデンサ７１が半田付けされた中継基板８０と、中継基板の他方の面側において中継基板８０を保持する保持部材９０とを具備してなるコンデンサユニット７０を有する。また、コンデンサユニット７０の保持部材９０は、前側筐体１０の背面の外周縁部近傍に形成された第１係合部１１に後側から係合する第２係合部９１を有しており、後側筐体２０によって前側に付勢されることにより、前側筐体１０に対して位置決めされる構成を有する。そして、コンデンサユニット７０は、電気基板４４と後側筐体２０とによって挟持されて固定される。
【００７１】
このような構成によれば、ストロボ用コンデンサ７１をケース状のものに収容することなく、筐体内に固定することができ、デジタルカメラ１の小型化、特に薄型化を図ることが容易となる。すなわち、本実施形態によれば、デジタルカメラ１の小型化を妨げることなくストロボ用コンデンサを固定することができる。
【００７２】
また、保持部材９０は、工具や接着剤を必要とせずに中継基板を保持し、かつ前側筐体１０に係合する構成であることから、デジタルカメラ１の組み立て作業が容易となる。さらに、コンデンサユニット７０は、図９に示すように、ユニットとして組み立てられた後に、余剰部分を有する第１リード線１０１及び第２リード線１０２を介して電気基板４４に接続されるため、半田付け作業が容易となる。
【００７３】
ところで、本実施形態では、高い電圧がかけられる第１〜第４リード線１０１〜１０４が中継基板８０又は電気基板４４に半田付けされる領域が、図８に示すように、保持部材９０の被覆部９２及び庇部９４により覆われている。このようにリード線の半田付け部を電気絶縁性の部材により覆う部材を保持部材９０と一体に形成することにより、安全性を向上させつつ、さらに筐体の小型化及び組立性の向上を図ることができる。
【００７４】
また、本実施形態では、接地電位に電気的に接続された後側筐体２０の保持板２１により、ストロボ用コンデンサ７１を付勢し位置決めしている。このように、ストロボ用コンデンサ７１を接地電位とされた後側筐体２０により固定することで、安全性を向上させ、さらにストロボ用コンデンサ７１を保持するケースのような専用の構成部材を不要とし筐体の小型化及び組立性の向上を図ることができる。
【００７５】
なお、本発明は、上述した実施形態に限られるものではなく、請求の範囲及び明細書全体から読み取れる発明の要旨或いは思想に反しない範囲で適宜変更可能であり、そのような変更を伴うデジタルカメラもまた本発明の技術的範囲に含まれるものである。
【産業上の利用可能性】
【００７６】
上述のように、本発明は、ストロボ発光部を具備するデジタルカメラに対して好適である。
【符号の説明】
【００７７】
１    デジタルカメラ、
２    電源スイッチ、
３    シャッターレリーズスイッチ、
４    ズームスイッチ、
５    蓋部材、
７    収容室、
１０    前側筐体、
１１    第１係合部、
２０    後側筐体、
２１    保持板、
３０    撮像ユニット、
３１    レンズ鏡筒、
３２    撮像レンズ、
３３    撮像素子、
３４    ズーム用モータ
４０    制御ユニット、
４１    ストロボ発光部、
４２    電池保持部、
４３    記録媒体保持部、
４４    電気基板、
５０    操作ユニット、
５１    操作部材、
５２    ダイヤルスイッチ、
５３    プッシュスイッチ、
６０    画像表示装置、
７０    コンデンサユニット、
７１    ストロボ用コンデンサ、
８０    中継基板、
８０ａ    下側の面（一方の面）、
８０ｂ    上側の面（他方の面）、
８１    スルーホール、
８２    ランド、
８３    ランド、
８４    配線パターン、
９０    保持部材、
９１    第２係合部、
９２    被覆部、
９３    固定部、
９４    庇部、
１００    半田付け部、
１０１    第１リード線、
１０２    第２リード線、
１０３    第３リード線、
１０４    第４リード線、
１１０    結束部材。
【図１】
2010191381.tif 000003
【図２】
2010191381.tif 000004
【図３】
2010191381.tif 000005
【図４】
2010191381.tif 000006
【図５】
2010191381.tif 000007
【図６】
2010191381.tif 000008
【図７】
2010191381.tif 000009
【図８】
2010191381.tif 000010
【図９】
2010191381.tif 000011
【図１０】
2010191381.tif 000012